(57)【特許請求の範囲】
【請求項１】
ハウジングの外周面に組込まれたタッチセンサ付き表示パネルと、
自然由来の木材、天然繊維、天然皮革もしくは天然石材、又は、自然の外観と手触りを模倣して生成された素材である樹脂、合成繊維、合成皮革もしくは人工石から成る薄層であって、前記パネル前面全体または一部を少なくとも被覆し前記パネル前面に当接するように前記ハウジングの外周面に配設された前記薄層と、
前記タッチセンサにより前記パネル面上の位置を検知され、個々にユニークな識別情報を有する入力デバイスを用いて前記パネル面に描画した際に、描画された時間情報と該描画に用いたデバイスの前記識別情報を関連付けして描画内容を記憶又は外部デバイスに送信の少なくとも何れかを行う描画内容処理手段と、
前記パネル面上に描画された内容が線であるか否かを判別する線判別手段と、
描画内容が線である場合に、描画された線と基準点との最短距離を算出する距離算出手段、を備えたことを特徴とする操作表示パネル組込物品。
【請求項２】
前記入力デバイスを更に備えたことを特徴とする請求項１に記載の操作表示パネル組込物品。
【請求項３】
前記線判別手段は、描画された線が、上下に所定の範囲以内であり、かつ、左右に所定の範囲以上で描かれた場合に、線と判別することを特徴とする請求項１又は２に記載の操作表示パネル組込物品。
【請求項４】
前記基準点が、床面であり、
床面に起立したユーザの頭上において、前記入力デバイスを用いて前記パネル面上に線を描画することにより、
前記距離算出手段が、ユーザの身長を計測することを特徴とする請求項１〜３の何れかに記載の操作表示パネル組込物品。
【請求項５】
前記時間情報は、描画された後、所定時間、前記入力デバイスで前記パネル面に描画されない状態が続いた時の日時の情報であることを特徴とする請求項１〜４の何れかに記載の操作表示パネル組込物品。
【請求項６】
前記識別情報と、前記入力デバイスにより前記パネルに描画された文字形状に基づいて、ユーザの認証を行う認証手段が設けられたことを特徴とする請求項１〜５の何れかに記載の操作表示パネル組込物品。
【請求項７】
前記入力デバイスにより描画された文字形状を文字情報として認識する手段が設けられたことを特徴とする請求項１〜６の何れかに記載の操作表示パネル組込物品。
【請求項８】
建物の柱又は壁面に脱着自在に固定し得ることを特徴とする請求項１〜７の何れかに記載の操作表示パネル組込物品。
【請求項９】
請求項１〜８の何れかの操作表示パネル組込物品と、管理サーバと、クライアント端末が、ネットワークを介して接続されデータを送受信するシステムであって、
前記描画内容処理手段は、前記操作表示パネル組込物品において個々にユニークな識別情報と前記時間情報とを関連付けして記憶された描画内容を、管理サーバに送信し、
前記管理サーバは、前記時間情報と前記識別情報と前記描画内容をデータベースに保存し、かつ、必要に応じて前記操作表示パネル組込物品又は前記クライアント端末に送信し、
前記操作表示パネル組込物品又は前記クライアント端末は、少なくとも前記時間情報と前記識別情報の何れかを用いて、前記描画内容を表示し得ることを特徴とする操作表示システム。
【発明の詳細な説明】
【技術分野】
【０００１】
本発明は、描画内容から距離を測定し記憶する技術に関するものである。
【背景技術】
【０００２】
一般に、家屋の柱などにペンやナイフなどで目印を付け、子どもの身長を測定するといったことが行われる。柱などに付けられた目印は、長い年月を越えて残り続け、家族の成長が感じられるものとなっている。
しかしながら、柱などにペンやナイフなどで付けられた目印は、誰の何時の身長を表すものなのかが分かり辛いという問題がある。また、誰の何時の身長を表すものかを柱に表記するとなると、家屋のデザイン性が損なわれるという問題がある。
【０００３】
家屋のデザイン性が損なわれない技術としては、一見すると単なる木材であるが、内部にＬＥＤディスプレイが内蔵されたデバイスが知られている（特許文献１を参照）。これは、自然由来の木材などから成る薄層が、筐体の外周面に組込まれたタッチセンサ付き表示パネルを被覆し、パネル前面に当接するように、筐体の外周面に配設されたものであり、薄層の厚さとパネルの輝度が、該パネルに表示されたコンテンツを視認できるように設計されている。パネルは、透明基材と、透明導電性シートと、発光素子が２次元配列された発光素子アレイと、発光素子の光の射出方向を導くライトガイドを備えており、これによれば、家屋等のデザイン性を損なうことなく設置することが可能である。
しかしながら、上記特許文献１では、身長の計測などに関する開示は無く、柱などに付けられた目印が、誰の何時の身長を表すものであるかを解決するものではない。
【０００４】
また、一見すると単なる木材であるが、内部にＬＥＤディスプレイが内蔵されたデバイスとデジタルペンを組み合わせ、ディスプレイの前に子どもを立たせてデジタルペンで線を引くことのできる装置が知られている（非特許文献１を参照）。
これは、頭の高さに合わせて線を引くと、その高さを自動計測して、高さに関するデータがクラウドサーバに送信され、別のディスプレイに計測した数値を表示し、また計測した時刻を該デバイスに表示するものであり、これによれば、デザイン性を損なうことなく、身長を計測することが可能である。
しかしながら、上記非特許文献１に開示された装置では、誰の何時の身長を表すものかを区別できないという問題がある。
【先行技術文献】
【特許文献】
【０００５】
【特許文献１】特許第６３７０５１９号公報
【０００６】
【非特許文献１】ワコム×mui Lab - 子どもの成長を記録する「柱の傷」をデジタル化（https://news.mynavi.jp/article/20190419-811679/）
【発明の概要】
【発明が解決しようとする課題】
【０００７】
かかる状況に鑑みて、本発明は、ユーザ毎に描画内容を記憶でき、かつ非使用時にはその存在を意識させることのないデザイン性を備える操作表示パネル組込物品及びシステムを提供することを目的とする。
【課題を解決するための手段】
【０００８】
上記課題を解決すべく、本発明の操作表示パネル組込物品は、ハウジングの外周面に組込まれたタッチセンサ付き表示パネルと、自然由来の木材、天然繊維、天然皮革もしくは天然石材、又は、自然の外観と手触りを模倣して生成された素材である樹脂、合成繊維、合成皮革もしくは人工石から成る薄層であって、パネル前面全体または一部を少なくとも被覆しパネル前面に当接するようにハウジングの外周面に配設された薄層と、タッチセンサによりパネル面上の位置を検知され、個々にユニークな識別情報を有する入力デバイスを用いてパネル面に描画した際に、描画された時間情報と該描画に用いたデバイスの識別情報を関連付けして描画内容を記憶又は外部デバイスに送信の少なくとも何れかを行う描画内容処理手段と、パネル面上に描画された内容が線であるか否かを判別する線判別手段と、描画内容が線である場合に、描画された線と基準点との最短距離を算出する距離算出手段を備える。
【０００９】
自然由来の素材又は自然の外観と手触りを模倣して生成された素材を用いることによって、自然な手触り感を実現することができる。特に、自然由来の素材として木材が用いられた場合には、建物内の柱等に取り付け、或は柱を模して取り付けることで、非使用時にはその存在を意識させることがなく、デザイン性の高い装置とすることができる。なお、自然由来の素材として木材が用いられる場合は、光の透過率が高く、しかも見栄えが良いシカモア材が好適に用いられるが、その他の木材でもよい。
また、自然由来の素材等は、パネル前面一部を覆う構成、例えばハーフミラーや金属調仕上げのアクリルやガラスで覆う構成を採用することも可能である。例えば、自動車など車両、船舶などでは、自然由来の素材である木材の突板でパネル前面の一部を覆い、覆っていないパネル前面の残りの一部をハーフミラー仕上げのアクリル樹脂で覆うことができる。
【００１０】
入力デバイスが個々にユニークな識別情報を有することにより、パネル面上へ入力した際に、誰が当該入力デバイスのユーザであるかを特定して操作表示パネルに送信できることとなる。したがって、複数の入力デバイスを使い分けることで、身長を計測したユーザが誰であるかを容易に区別することが可能となる。入力デバイスとしては、静電容量方式、電磁誘導方式、又は抵抗膜式などのタッチパネルに入力可能な入力デバイスを利用可能である。例えば、デジタルスタイラスペンを用いることも可能である。オプティカルトラッカー方式、カメラ画像認識などを利用した入力デバイスでもよい。また、入力デバイスの形状については、ペン形状に限るものではない。
【００１１】
描画内容処理手段が備えられることにより、描画された時間情報と、入力デバイスが有するユニークな識別情報を関連付けして描画内容を記憶又は外部デバイスに送信の少なくとも何れかを行うことが可能となる。記憶した描画内容は、表示パネルや外部デバイスの表示ディスプレイに再度表示することや、外部デバイスで分析加工することが可能である。時間情報と識別情報を元に、例えば、ある特定の日時に入力された、複数のユーザによる描画内容をまとめて表示することも可能であるし、ある特定のユーザの時系列に沿った描画内容を順に表示することも可能である。描画内容を表示する際には、時間情報を同時に表示してもよい。
【００１２】
時間情報を関連付けして描画内容を記憶することにより、例えば前述したように子どもの身長を計測した場合には、計測を行った時間が自動的に記憶されることになり、いつに計測を行ったかについて、後で確認することが可能となる。時間情報とは、年月日、時分秒など、必要に応じて、適宜選択できる。例えば、何月何日の描画内容、１日の特定時間帯の描画内容などで記憶内容を検索することができる。
描画された時間情報としては、例えば入力開始時や入力終了時といった特定の時刻を記憶することでもよいし、入力開始時から入力終了時までの一群のデータを記憶することでもよい。特定の時刻だけではなく書き始めから書き終わりまでのデータを記憶することにより、例えば、入力した内容を後でパネル面上に再現する場合に、入力の軌跡をそのまま再現することも可能となる。なお、記憶される時間情報は、時分や秒だけでなく、年月日も記憶可能であるが、必ずしも全て記憶する必要はなく、例えば、それらの内、日にちだけや時分だけを記憶することでもよい。
【００１３】
個々の入力デバイスにユニークに付与された識別情報は、入力デバイスとタッチセンサ付き表示パネルの間で、無線通信を使用してデータの送受信を行うことが好ましい。無線通信の種類としては、公知の無線通信技術を幅広く含み、例えば、Ｂｌｕｅｔｏｏｔｈ（登録商標）などの近距離無線通信を使用するものでもよい。また、入力デバイス以外の物品が有する識別情報、例えばＲＦＩＤタグなどを併用してもよい。
また、本発明の操作表示パネル組込物品は、更に、入力デバイスを備えてもよい。指先などで入力することもできるが、入力デバイスを構成要素に含める方が好ましい。
【００１４】
線判別手段が備えられることにより、パネル面上に描画された内容が、距離算出の対象となるか否かを区別することが可能となる。すなわち、線であると判別されると距離算出の対象となり、線ではないと判別されると距離算出の対象とはならないこととなる。ここでは、直線の場合だけではなく曲線の場合でも距離算出の対象とすることが可能である。判別方法としては、例えば、所定の範囲以上の長さの入力があったことを条件としてもよいし、一定時間以上の連続的な入力を条件としてもよい。
【００１５】
距離算出手段が備えられることにより、例えば、子どもを操作表示パネル組込物品の前に立たせ、入力デバイスを用いて子どもの身長の高さに合わせてパネル面上に線を引くことで、子どもの身長を容易に計測することができる。
距離算出手段は、描画された線を構成する各ドットの座標点と基準点との距離を基に算出することでもよいし、描画された線の内、Ｙ座標が最も小さい点を、予め設定されたＹ座標ゼロ点の床からの位置と、画面サイズから計算して算出することでもよい。また、これ以外にも、描画された線を構成するドットのＹ座標の平均値を算出し、距離算出の対象としてもよい。基準点については、例えば、操作表示パネル組込物品の下端部を基準点としてもよい。また、基準点は複数設けられていてもよい。
【００１６】
本発明の操作表示パネル組込物品において、線判別手段は、描画された線が、上下に所定の範囲以内であり、かつ、左右に所定の範囲以上で描かれた場合に、線と判別することでもよい。
一般に、柱にペンを使って身長を表す目印を付ける場合には、床面に対して略水平に線が引かれることが多いといえる。そこで、描画された線が、上下に所定の範囲を超える場合には線とは判別されず、また、左右に所定の範囲以内で描かれた場合にも線とは判別されないとしたものである。
【００１７】
本発明の操作表示パネル組込物品は、基準点が、床面であり、床面に起立したユーザの頭上において、入力デバイスを用いてパネル面上に線を描画することにより、距離算出手段が、ユーザの身長を計測することが好ましい。これにより簡単に身長を計測することが可能となる。
【００１８】
本発明の操作表示パネル組込物品において、時間情報は、描画された後、所定時間、入力デバイスでパネル面に描画されない状態が続いた時の日時の情報であることでもよい。また、時間情報は、描画が開始された日時の情報であることでもよい。
【００１９】
本発明の操作表示パネル組込物品は、識別情報と、入力デバイスによりパネルに描画された文字形状に基づいて、ユーザの認証を行う認証手段が設けられたことが好ましい。入力デバイスによりパネルに描画された文字形状とは、例えばユーザの筆跡のことであり、入力デバイスが有する識別情報による認証と、ユーザの筆跡による認証を組み合わせることにより、より安全性の高い装置とすることができる。
【００２０】
本発明の操作表示パネル組込物品は、入力デバイスにより描画された文字形状を文字情報として認識する手段が設けられたことが好ましい。文字形状を文字情報として認識する手段が設けられることにより、文字として見やすくなり、また記憶する際のデータ量を削減することができる。これにより、操作表示パネルに再度入力内容を表示する、管理サーバのデータベースに保存する、スマートフォン、ＰＣ等の端末にメッセージ等を送信するといった際の利便性が向上する。
【００２１】
本発明の操作表示パネル組込物品は、建物の柱又は壁面に脱着自在に固定し得ることが好ましい。建物の柱又は壁面に脱着自在に固定し得ることにより、取扱い時の利便性が向上する。取付方法としては、螺子等の留め具を使用することでもよいし、接着材等を使用することでもよい。
【００２２】
本発明の操作表示システムは、上記の何れかの操作表示パネル組込物品と、管理サーバと、クライアント端末が、ネットワークを介して接続されデータを送受信するシステムであって、描画内容処理手段は、操作表示パネル組込物品における個々にユニークな識別情報と時間情報とを関連付けして記憶された描画内容を、管理サーバに送信し、管理サーバは、時間情報と識別情報と描画内容をデータベースに保存し、かつ、必要に応じて操作表示パネル組込物品又はクライアント端末に送信し、操作表示パネル組込物品又はクライアント端末は、少なくとも時間情報と識別情報の何れかを用いて、描画内容を表示し得る。
操作表示パネル組込物品において記憶された描画内容を、管理サーバのデータベースに保存することにより、操作表示パネル組込物品から離れた場所に存在するクライアント端末に描画内容を表示するといったことも可能となる。なお、管理サーバは、複数の操作表示パネル組込物品や複数のクライアント端末を管理することが可能である。
【発明の効果】
【００２３】
本発明の操作表示パネル組込物品及びシステムによれば、ユーザ毎に描画内容を記憶でき、かつ非使用時にはその存在を意識させることのないデザイン性を備える装置とできるといった効果がある。
【図面の簡単な説明】
【００２４】
【図１】実施例１の操作表示パネル組込物品の機能ブロック図
【図２】実施例２の操作表示システムの機能ブロック図
【図３】実施例３の身長管理装置の斜視図
【図４】実施例３の身長管理装置の入力イメージ図
【図５】実施例３の身長管理装置の入力説明図
【図６】実施例３の身長管理装置の取付イメージ図１
【図７】実施例３の身長管理装置の構成例及び取付イメージ図
【図８】実施例３の身長管理装置の取付イメージ図２
【図９】実施例４の身長管理システムのシステム構成図
【図１０】実施例３の身長管理装置本体の構成イメージ図
【図１１】実施例３の身長管理装置本体の断面模式図
【発明を実施するための最良の形態】
【００２５】
以下、本発明の実施形態の一例を、図面を参照しながら詳細に説明していく。なお、本発明の範囲は、以下の実施例や図示例に限定されるものではなく、幾多の変更及び変形が可能である。
【実施例１】
【００２６】
図１は、実施例１の操作表示パネル組込物品の機能ブロック図を示している。図１に示すように、操作表示パネル組込物品３０は、操作表示パネル組込物品本体４０及び入力デバイス５０から成る。操作表示パネル組込物品本体４０は、表示手段４１、描画内容記憶手段４２、線判別手段４３、距離算出手段４４、認証手段４５、文字情報認識手段４６、送信手段４７及び受信手段４８を備える。また、入力デバイス５０は、識別情報記憶手段５１、送信手段５２及び受信手段５３を備える。
操作表示パネル組込物品本体４０の形状は、特に限定されず、板状、箱形状等の直方体形状などの平面のみで構成される形状に限られず、球形状、楕円球形状、円筒形状又は円錐形状などの曲面形状を有するものでもよい。また、例えば、板状である場合でも、縦横の長さは、建物内の柱のように細長い形状であってもよいし、壁面全体を覆うような縦横に長い形状でもよい。サイズについても限定はなく、壁面サイズやタブレットサイズなど幅広いサイズが適用可能である。
【００２７】
表示手段４１は、入力デバイス５０による描画内容を表示するものであり、具体的にはタッチセンサ付きの表示パネルなどが挙げられる。描画内容記憶手段４２は、描画された時間情報と該描画に用いた入力デバイス５０の識別情報を関連付けして、入力デバイス５０による描画内容を記憶するものである。線判別手段４３は、入力デバイス５０による描画内容につき線であるか否かを判別するものである。距離算出手段４４は、描画内容が線である場合に、描画された線と基準点との最短距離を算出するものである。これにより例えば、身長を計測したり、両手を左右に伸ばした長さを図ったり、手の形を入力デバイス５０であるペンでなぞったりと、様々な距離を算出することが可能である。なお、本実施例では、最短距離の算出は、描画された線中の特定の点を導き出した上で、かかる点と基準点を基に算出する。
【００２８】
認証手段４５は、入力デバイス５０に設けられた識別情報記憶手段５１において記憶された識別情報と、入力デバイス５０により操作表示パネル組込物品本体４０のパネル（図示せず）に描画された文字形状に基づいて、ユーザの認証を行うものである。文字情報認識手段４６は、入力デバイス５０により描画された文字形状を文字情報として認識するものであり、これにより例えば、入力デバイス５０により描画された文字形状を文字情報に変換してパネル上に表示するといったことも可能となる。
【００２９】
入力デバイス５０に設けられた識別情報記憶手段５１は、ユーザ識別情報を記憶するためのものであり、基本的には１人のユーザ識別情報を記憶するが、複数のユーザ識別情報を記憶することも可能である。また、複数の入力デバイス５０に同一人のユーザ識別情報を記憶することも可能である。
【００３０】
操作表示パネル組込物品本体４０と入力デバイス５０の間の通信は、送信手段（４７，５２）及び受信手段（４８，５３）を用いて行われる。送信手段（４７，５２）及び受信手段（４８，５３）は、複数種類の送受信手段を含み、操作表示パネル組込物品本体４０と入力デバイス５０の間の通信だけではなく、管理サーバ（図示せず）やクライアント端末（図示せず）との通信にも用いられる。
【実施例２】
【００３１】
図２は、実施例２の操作表示システムの機能ブロック図を示している。図２に示すように、操作表示システム８０は、操作表示パネル組込物品３０、管理サーバ６０及びクライアント端末７０から成り、ネットワーク５を介して接続されている。操作表示パネル組込物品３０は、実施例１と同様の構成であり、操作表示パネル組込物品本体４０及び入力デバイス５０から成る。管理サーバ６０は、管理手段６１、データベース６２、送信手段６３及び受信手段６４を備える。また、クライアント端末７０は、表示手段７１、送信手段７２及び受信手段７３を備える。クライアント端末７０は、スマートフォン、タブレット端末、ＰＣ、ディスプレイ装置などの端末を幅広く含む。
操作表示パネル組込物品３０、管理サーバ６０及びクライアント端末７０は、それぞれ送信手段（４７，５２，６３，７２）及び受信手段（４８，５３，６４，７３）を用い、ネットワーク５を介してデータの送受信が可能である。また、図示しないが、操作表示パネル組込物品本体４０、入力デバイス５０及びクライアント端末７０は、近距離無線通信等を用いることで、ネットワーク５を介さずにデータを送受信することも可能である。
【００３２】
管理サーバ６０は、管理手段６１によりユーザ情報や描画内容等を管理することが可能である。データベース６２には、操作表示パネル組込物品３０又はクライアント端末７０から送られたデータを保存できる。なお、図１に示す描画内容記憶手段４２については、管理サーバ６０に設けられたデータベース６２を記憶手段として利用することで、描画内容記憶手段４２を操作表示パネル組込物品本体４０内に設けない構成としてもよい。
【００３３】
操作表示システム８０によれば、例えば、入力デバイス５０を用いて操作表示パネル組込物品本体４０に入力した情報に、自動で別の情報を付加して、管理サーバ６０やクライアント端末７０に送信することが可能である。ここで別の情報とは、例えば、識別情報記憶手段５１により入力デバイス５０に登録されたユーザ識別情報、距離算出手段４４により描画内容と基準点から算出される距離情報、描画内容記憶手段４２に記憶された時刻などの時間情報、或は文字情報認識手段４６により得られた文字情報などが挙げられる。また、送信相手の指定、テキスト、画像を別の情報として付加することも可能である。
クライアント端末７０は、遠隔に存在するスマートフォンなどのデバイスでもよいため、クライアント端末７０から、操作表示パネル組込物品３０や管理サーバ６０にデータを送信することで、双方向でのやり取りができ、コミュニケーション手段としても有用である。
【実施例３】
【００３４】
図３は、実施例３の身長管理装置の斜視図を示している。図３に示すように、身長管理装置１０は、身長管理装置本体１及び入力デバイス２から成り、身長管理装置本体１の内部には、操作表示パネルユニット１１が設けられている。身長管理装置本体１の表面には、入力デバイス２で描かれた線（３ａ，３ｂ）が表示されている。
【００３５】
ここで操作表示パネルユニット１１の構造について説明する。図１０は、実施例３の身長管理装置本体１の構成イメージ図を示している。図１０に示すように、身長管理装置本体１は、突板１２、透明基材１３、透明導電性シートとしてタッチパネルシート１４、ライトガイド１５及び発光素子アレイとしてＬＥＤアレイ１６から構成され、それぞれ上から順に積層されている。突板１２は、身長管理装置本体１の外表面に位置し、ＬＥＤアレイ１６は物品内部に位置するように構成される。突板１２には、光の透過率が高く、しかも見栄えが良いシカモア材が用いられている。
ＬＥＤアレイ１６には多数のＬＥＤ光源１７が２次元に配列されている。ライトガイド１５は、各ＬＥＤ光源１７の光の射出方向をＬＥＤアレイ１６の基板と垂直方向に導くものであり、ＬＥＤ光源１７の個数と同じガイド孔１５ａが設けられている。
【００３６】
図１０においては、説明の都合上、全てのＬＥＤ光源を図示していないが、例えば、縦３２個、横２００個の計６４００個のＬＥＤ光源でＬＥＤアレイ１６が構成される。１つのＬＥＤ光源は平面実装タイプのＬＥＤで構成される。１つのＬＥＤ光源の光で点光源を実現し、これを１ドットと見て、８×８ドット、或は、１６×１６ドットで１つの文字や図柄を表現することができる。例えば、６４００個のＬＥＤ光源を有するＬＥＤアレイ６の場合、２２文字×３行の文章を表現させることができる。ここで、ＬＥＤ光源は、例えば、２ｍｍ×２ｍｍのサイズで、７００〜１０００ｍｃｄ（ミリカンデラ）のものを用いる。
なお上記構成と異なり、例えば、縦３２個、横７００個の計２２４００個のＬＥＤ光源でＬＥＤアレイ１６を構成すれば、身長０〜２００ｃｍ程度まで対応可能となる。
ライトガイド１５は、ＬＥＤ光源１７から発せられる光で構成される文字や図柄を、突板１２を通して鮮明に視認させる役割を担っている。すなわち、ＬＥＤアレイ１６の上にライトガイド１５が積層された際に、各ＬＥＤ光源１７の直上にガイド孔１５ａが配置されるように、ＬＥＤ光源１７の配置に合わせて、多数のガイド孔１５ａが設けられている。
【００３７】
次に、身長管理装置本体１の組み立て後の構造について図１１を参照しながら説明する。
図１１は、実施例３の身長管理装置本体の断面模式図を示している。図１１に示すように、身長管理装置本体１において、突板１２、透明基材１３、タッチパネルシート１４、ライトガイド１５及びＬＥＤアレイ１６は、筐体１８によって、上から順に積層された状態で接着されている。ＬＥＤアレイ１６上に設けられたＬＥＤ光源１７から発せられた光の内、斜めに発せられた光（１９ｂ，１９ｃ）は、ライトガイド１５によって遮られ、光１９ａのように真っ直ぐな光として、突板１２に届くこととなる。なお、筐体１８は、主にＡＢＳ樹脂で形成されている。
突板１２と透明基材１３、又は、透明基材１３とタッチパネルシート１４は、間隙を設けることなく、貼り合わされている。これに対して、タッチパネルシート１４とライトガイド１５の間には、ギャップＧ１が設けられている。これは、ライトガイド１５にはガイド孔１５ａが設けられているため、タッチパネルシート１４とライトガイド１５を接着すると、タッチパネルを操作した際に、応力にばらつきが生じ、誤作動の原因となるためである。
【００３８】
また、ライトガイド１５とＬＥＤ光源１７の間にも、ギャップＧ２が設けられている。ＬＥＤアレイ１６に設けられるＬＥＤ光源１７や、ライトガイド１５に設けられるガイド孔１５ａの数は、数千個にも及ぶことから、ライトガイド１５とＬＥＤアレイ１６を積層した場合に、配置の誤差が生じる可能性がある。誤差が生じた状態で、ライトガイド１５とＬＥＤアレイ１６を接着すると、ＬＥＤ光源１７から発せられた光がガイド孔１５ａに通らず、正確な表示がなされないこととなる。そこでギャップＧ２を設けることにより、ＬＥＤ光源１７とガイド孔１５ａの配置の誤差による表示品質の低下を防止することができる。また、多少の誤差があっても表示品質が保たれるため、製造が容易となる。
【００３９】
図３に示す入力デバイス２は、デジタルスタイラスペンであり、身長管理装置本体１の表面を入力デバイス２が触れることにより、文字や図形を入力することが可能である。入力デバイス２には、予め特定のユーザＩＤが登録されているが、別のユーザＩＤに設定を変更することも可能であるし、共有することも可能である。入力デバイス２にユーザ固有のＩＤが付与されることにより、タッチパネル１１ａ上に引かれた線が誰の身長を表すものであるかを容易に特定することができ、ユーザ毎に身長情報等を記憶することができる。
【００４０】
身長管理装置本体１が上記のような構成を有するため、図３に示すように、入力デバイス２を用いて、子ども（図示せず）などの頭の高さに合わせて線（３ａ，３ｂ）を描くことができる。
図３においては、線３ａは直線、線３ｂは曲線となっているが、このように必ずしも直線でなくても身長を測定することは可能である。かかる点について、図４，５を用いて説明する。
【００４１】
図４は、実施例３の身長管理装置の入力イメージ図を示している。図４に示すように、ここでは身長管理装置本体１のタッチパネル１１ａ上に、入力デバイス２を用いて左から右へと線が引かれ、線３ｃが表示されている。
図５は、実施例３の身長管理装置の入力説明図を示している。図５に示すように、線３ｃは、左右に範囲Ｒ１に亘って描かれている。また、線３ｃは、上下については範囲Ｒ２の範囲で描かれている。身長管理装置本体１のタッチパネル１１ａ上に入力する線は、左右に一定以上の範囲で描かれ、かつ、上下に一定の範囲内で描かれた場合に、当該入力デバイス２に紐付けられたユーザＩＤの身長を表す情報として身長管理装置本体１に記憶される。また、同時に入力が完了した時刻も記憶される。具体的には、タッチパネル１１ａから入力デバイス２の先端が離れた後、一定時間経過後に、タッチパネル１１ａから入力デバイス２が離れた時刻を、身長測定時刻として記憶する。
図４に示すように、本実施例では、線３ｃが描かれると、描かれた時刻が時計２０の形で表示される構成となっている。
【００４２】
図６は、実施例３の身長管理装置の取付イメージ図を示している。図６に示すように、身長管理装置本体１は、木製の柱４に重ねられるように取り付けられている。身長管理装置本体１の表面に用いられる突板１２も木材という自然由来の素材が表面に用いられていることから、無機質な外観を有する装置とは異なり、温かみが感じられる形態となっているだけではなく、視覚的にも木製の柱４に馴染み、非使用時には、身長管理装置本体１の存在を感じさせない構成となっている。
図８は、実施例３の身長管理装置の取付イメージ図であり、身長管理装置本体１を壁面８に取り付けた例を示している。このように、建物の柱だけではなく、壁面に取り付けることも可能である。
【００４３】
図７は、実施例３の身長管理装置の構成例及び取付イメージ図を示している。図７に示すように、身長管理装置本体１は、必要に応じて身長管理装置本体１ａのように全長を長く設け、実際の柱に類似した構成とすることもできるし、身長管理装置本体１ｂのように全長を短く設けた構成とすることも可能である。
身長管理装置本体１ａのように全長を長く設け、実際の柱に類似した構成とした場合には、操作表示パネルユニット１１を設ける位置を下端部から所定の位置、例えば７０ｃｍ以上の位置としてもよい。これは、身長管理装置１の対象者が子どもであることが多いと考えられるからである。
身長管理装置本体１ｂのように全長を短く設けた構成とした場合には、図７（２）に示すように、床面９から浮かせた状態で柱４に取り付ける。そこで、身長管理装置本体１ｂを使用する場合には、例えば、床面９から身長管理装置本体１ｂの下端部までの高さＨを予め計測し身長管理装置本体１ｂに登録することで、身長の測定が可能となる。
【実施例４】
【００４４】
図９は、実施例４の身長管理システムのシステム構成図を示している。図９に示すように、身長管理システム１００は、身長管理装置１０、管理サーバ６、モバイル端末７から成り、身長管理装置１０は、身長管理装置本体１及び入力デバイス２から成る。身長管理装置本体１、管理サーバ６及びモバイル端末７は、それぞれネットワーク５に接続されており、データの送受信が可能となっている。
管理サーバ６には、データベース６ａが設けられており、ユーザの登録情報、設定情報、身長情報、及び、文字や絵、記号などの入力情報を記憶し、必要に応じて読み込みを行う構造である。なお、上記情報については、身長管理装置本体１に記憶することも可能であるが、データベース６ａのみに記憶する構成としてもよい。
【００４５】
身長管理装置１０及びモバイル端末７は、ここでは１つずつ図示されているのみであるが、実際には、多数のユーザが身長管理装置１０やモバイル端末７を利用するシステムとなっている。ここで、モバイル端末としては、スマートフォンやタブレット端末が好適であるが、これらに限られず、ＰＣやウェアラブル端末など幅広い端末が利用可能であり、また、一見するとモバイル端末とは感じられない、例えば、一般的な箱の形状を呈した箱状ディスプレイでもよい。また、本実施例の構成とは異なり、モバイル端末ではないＰＣ等を利用してもよい。
【００４６】
ネットワーク５としては、インターネットが用いられているが、身長管理装置１０とモバイル端末７との通信は、インターネット以外の通信手段（５ａ，５ｂ）によって行うことも可能である。通信手段（５ａ，５ｂ）としては、インターネット以外の手段を広く含み、ＱＲコード（登録商標）などの二次元コードや、生体認証をセンシングする方式でもよいし、近距離無線通信を用いてもよい。また、ここでは図示しないが、有線による通信を行うものでもよい。なお、身長管理装置本体１と入力デバイス２については、入力デバイス２をアクティブに駆動してエンコードし、静電容量式のタッチパネル１１ａを介してタッチセンシングＩＣに、入力デバイス２に登録されたユーザＩＤを送信することでデータを送受信できる。これにより、入力デバイス２に登録されたユーザＩＤを身長管理装置本体１において認証し、また、身長管理装置本体１において測定された身長情報等を入力デバイス２に登録されたユーザＩＤに紐付けて記憶することが可能となっている。
【００４７】
身長管理装置システム１００が、上記のような構成とされることにより、例えば、身長管理装置１０において計測した身長情報に、テキストや画像情報を付帯させて、モバイル端末７に送信することが可能となる。これにより、親が子どもの身長を計測し、遠隔地にいる祖父母が所持するディスプレイやスマートフォンに送り、祖父母が表示内容を見て孫の成長を楽しむといったことも可能である。その際には、入力デバイス２であるペンの軌跡を表示するといった演出も可能である。
また、予め送信先のモバイル端末７を指定することで、計測を行う度に、自動的に指定済みのモバイル端末７へ身長情報やメッセージ、イラスト等が送られる構成とすることもできる。
【００４８】
（その他の実施例）
１）身長管理装置本体１には、筆跡によるユーザ認証システムが搭載されている構成でもよい。入力デバイス２に登録されたユーザＩＤとの照合を行うことで、利用の安全性が向上する。
２）身長管理装置本体１は、文字認識機能を有する構成でもよい。入力デバイス２により入力された文字を認識できることにより、データ量を削減でき、モバイル端末７への送信や、データの保存時の利便性を向上させることができる。
【００４９】
３）操作表示パネル組込物品本体４０のパネルを、指などによるタッチ入力ができない構成としてもよい。
４）操作表示パネル組込物品本体４０のパネルは、マーカーやチョークで描いた線を、指先でこすることで、消したり、にじませたり、混色したりするなど、現実世界の物理的な振る舞いに沿ったアフォーダンスを取り入れた入力を可能とすることで、より直感的な描画や体験が実現される構成としてもよい。
【００５０】
５）入力デバイス５０と、人体の１つ又は複数の箇所を用いた入力手段が備えられる構成でもよい。例えば、静電容量式タッチパネルでは、頭蓋骨の周りの薄い頭皮と、指先は、識別可能なセンサとファームウェアが作成できるからである。指先で描かれた狭い面積の線と、頭や背中などで描かれた広い面積の入力を区別する構成でもよい。
【産業上の利用可能性】
【００５１】
本発明は、描画内容を記憶するだけではなく、家族間等のコミュニケーションを活性化する技術として有用である。
【符号の説明】
【００５２】
１，１ａ，１ｂ  身長管理装置本体
２，５０  入力デバイス
３ａ〜３ｃ  線
４  柱
５  ネットワーク
５ａ，５ｂ  通信手段
６，６０  管理サーバ
６ａ，６２  データベース
７  モバイル端末
８  壁面
９  床面
１０  身長管理装置
１１  操作表示パネルユニット
１１ａ  タッチパネル
１２  突板
１３  透明基材
１４  タッチパネルシート
１５  ライトガイド
１５ａ  ガイド孔
１６  ＬＥＤアレイ
１７  ＬＥＤ光源
１８  筐体
１９ａ〜１９ｃ  光
２０  時計
３０  操作表示パネル組込物品
４０  操作表示パネル組込物品本体
４１，７１  表示手段
４２  描画内容記憶手段
４３  線判別手段
４４  距離算出手段
４５  認証手段
４６  文字情報認識手段
４７，５２，６３，７２  送信手段
４８，５３，６４，７３  受信手段
５１  識別情報記憶手段
６１  管理手段
７０  クライアント端末
８０  操作表示システム
１００  身長管理システム
Ｇ  ギャップ
Ｈ  高さ
Ｒ  範囲
【要約】
【課題】ユーザ毎に描画内容を記憶でき、かつ非使用時にはその存在を意識させることのないデザイン性を備える操作表示パネル組込物品及びシステムを提供する。
【解決手段】ハウジングの外周面に組込まれたタッチセンサ付き表示パネルと、自然由来の木材、天然繊維、天然皮革もしくは天然石材、又は、自然の外観と手触りを模倣して生成された素材である樹脂、合成繊維、合成皮革もしくは人工石から成る薄層であって、パネル前面全体または一部を少なくとも被覆しパネル前面に当接するようにハウジングの外周面に配設された薄層と、タッチセンサによりパネル面上の位置を検知され得る入力デバイスであって、個々にユニークな識別情報を有する入力デバイスと、入力デバイスを用いてパネル面に描画した際に、描画された時間情報と該描画に用いたデバイスの識別情報を関連付けして描画内容を記憶する描画内容記憶手段を備える。
【選択図】図１【図１】
0006784422.tif 000002
【図２】
0006784422.tif 000003
【図３】
0006784422.tif 000004
【図４】
0006784422.tif 000005
【図５】
0006784422.tif 000006
【図６】
0006784422.tif 000007
【図７】
0006784422.tif 000008
【図８】
0006784422.tif 000009
【図９】
0006784422.tif 000010
【図１０】
0006784422.tif 000011
【図１１】
0006784422.tif 000012